(57)【要約】【課題】  本発明は、性能の安定性が実現できるだけでなく、操作ももっと簡便に行われる押釦スイッチを提供する。【解決手段】  本発明の押釦スイッチは、ハウジングと、ハウジングの内底部に設けられた固定接点と、順にハウジングの上に取り付けられる可動接点と、作動件と、蓋体とを含んで、該蓋体より作動件と係合できる弾性片が下へ突出するように設けられていて、該可動接点より固定接点と接触したり離隔したりする突出部が下へ突出するように設けられている。使用する場合、作動件を押すと、蓋体の弾性片からの圧力で作動件が下方へ移動し、可動接点を変形させ、すると該可動接点の突出部が下方へ移動して固定接点と電気的に接続する。作動件への押圧力を除くと、可動接点が弾性回復力で固定接点から離れ、電気的な接続が解除される。これでスイッチング動作の全過程は完成する。【選択図】図１
2004303716.tif 000002
【特許請求の範囲】
【請求項１】
ハウジングと、
前記ハウジングの内底部に設けられた固定接点と、
前記ハウジングに取り付けられ、弾性片が設けられている蓋体と、
前記固定接点と前記蓋体との間に設置され、前記固定接点と接触するまたは離隔する動作を行う突出部が設けられている可動接点と、
押圧部と、前記可動接点と前記蓋体との間に設置されている作動部とを含んでいる作動件と、
を備え、
前記作動件の前記押圧部を押すと、前記作動件の前記作動部が前記蓋体の前記弾性片の押圧力で移動するとともに、前記可動接点が前記作動部の押圧力で変形して該可動接点の前記突出部を下方へ移させ、前記固定接点と電気的に接続し、スイッチング動作を完成することを特徴とする押釦スイッチ。
【請求項２】
前記固定接点には複数の接触部が設けられる一方、前記可動接点における前記突出部は複数設けられ、かつ前記各突出部は一つの前記接触部と対称的に設けられていることを特徴とする請求項１に記載の押釦スイッチ。
【請求項３】
前記可動接点は頂面と、前記頂面の縁より一定の角度で延伸して設けられている側面とからなることを特徴とする請求項２に記載の押釦スイッチ。
【請求項４】
前記突出部は、頂面から下へ突起している複数の凸起であることを特徴とする請求項３に記載の押釦スイッチ。
【請求項５】
前記突出部は、頂面から下へ突起している複数の凸片であることを特徴とする請求項３に記載の押釦スイッチ。
【請求項６】
頂部の開口は円形や円形に似通っている形に設けられていることを特徴とする請求項５に記載の押釦スイッチ。
【請求項７】
前記凸片は前記頂部の開口の縁より間隔一致で延設されていることを特徴とする請求項６に記載の押釦スイッチ。
【請求項８】
前記蓋体の中央部よりＶ型の槽は下へ突出するように形成されるとともに、前記弾性片は形成されていることを特徴とする請求項１に記載の押釦スイッチ。
【発明の詳細な説明】
【技術分野】
【０００１】
本発明は、押釦スイッチに関し、特に電子機器に使用される押釦スイッチに関するものである。
【背景技術】
【０００２】
従来の押釦スイッチは特許文献１に示されるように、ハウジングと、ハウジングの内底部に設けられた固定接点と、該固定接点上に配置された可動接点と、操作部材と、ふた体とを含んで、前記ふた体が弾性を有する傾斜片を備え、前記操作部材は、弾性を有する前記傾斜片および前記可動接点間に介設された作動部と、前記ハウジングの側部より外方へ突出する押圧部とから一体的に構成されている。使うとき、該操作部材の押圧部を押圧し、その押圧力により前記作動部が傾斜片上を摺動して可動接点を押圧し、前記可動接点が変形して下の固定接点に接続する。押圧状態を解除すると、可動接点が弾発力により固定接点より離隔し、スイッチ・オフとなる。
【０００３】
しかし、こうした従来の押釦スイッチでは、可動接点と固定接点との間のピンチが大きいので、押圧されると可動接点が大幅に弾性変形しなければ固定接点と接続しない。また、押圧力の不足と、可動接点の弾力の喪失などにより該押釦スイッチの接続が不良になる可能性が高い。それに、スイッチング動作を行う中で、前記可動接点が大幅に弾性変形しなければならないので反応時間が延び、この電子装置の長すぎる反応時間で該押釦スイッチの簡易操作が実現できなくなる。
【特許文献１】実用新案登録第2,572,590号公報
【発明の開示】
【発明が解決しようとする課題】
【０００４】
本発明の目的は、性能の安定性が実現できるほか、操作ももっと簡易に行われる押釦スイッチを提供することにある。
【課題を解決するための手段】
【０００５】
本発明の押釦スイッチは、ハウジングと、ハウジングの内底部に設けられた固定接点と、順にハウジングの上に取り付けられる可動接点と、作動件と、蓋体とを含んで、該蓋体より作動件と係合できる弾性片が下へ突出するように設けられていて、該可動接点より固定接点と接触したり離隔したりする突出部が下へ突出するように設けられている。使う際に、作動件を押すと、蓋体の弾性片からの弾性圧力で作動件が下方へ移し、可動接点を変形させ、すると該可動接点の突出部が下方へ移動して固定接点と電気的に接続する。作動件への押圧力を除くと、可動接点が弾性回復力で固定接点から離れ、電気的な接続が解除される。これでスイッチングの全過程が完成する。
【発明の効果】
【０００６】
従来の技術に比べると、本発明は以下の長所がある。可動接点より下へ突起する突出部が設けられているので、可動接点がわずかな変形をしても、固定接点と安定な電気接続が実現でき、これによって押釦スイッチの操作時間が縮められる一方、操作も余程簡便になる。
【発明を実施するための最良の形態】
【０００７】
図１と図２を参照すると、本発明の第１実施例の押釦スイッチ１は、ハウジング１０と、ハウジング１０の内底部に設けられた固定接点２０と、順にハウジング１０に取り付けられる可動接点３０と、作動件４０と、蓋体５０とを含んでいる。
【０００８】
ハウジング１０は開口を有する箱の形に設けられ、底面１１と、該底面１１の四つの側縁から上方へ延伸して形成された前壁１２と、後ろ壁１３と、対向する一対の側壁１４と、を含んでいる。該底面１１の両端から、より高い第１ステップ１５と、より低い第２ステップ１６とが階段の形に設置され、そして前壁１２また後ろ壁１３のそれぞれの上記側壁１４に近い部分には、対称的に両第１凹部１７が開設され、そして両側壁１４には第２凹部１８が対称に開設されている。そして、前記前壁１２と後ろ壁１３には切欠き（記号なし）が開設されている。
【０００９】
固定接点２０がハウジング１０の内底面１１に設けられ、ハウジング１０の内底面１１を突き出す接触部２１と、半田付け部２２とを含んで、該半田付け部２２はハウジング１０の横の両側から突出し、押釦スイッチを電子装置のための回路基板（図示せず）に接続させる用途に立っている。
【００１０】
可動接点３０には頂面３１と、頂面３１の縁より一定の角度で下へ延伸する側面３２とが備えられている。該頂面３１より複数の凸起３３が下へ突起する状態に設置されている。本実施例においては、凸起３３が四つ設けられているが、場合によって一個あるいは複数の凸起を設けても本発明の目的が達成できる。
【００１１】
作動件４０には、可動部４１と、ハウジング１０の外部へ突出する押圧部４２とが設けられている。該可動部４１には、ガイド部４３と、押圧部４２側の穴の縁から穴４４の中心へ延伸して形成された作動部４５とを含んで、該作動部４５の先が斜めに設置されている。
【００１２】
蓋体５０には、主体部５１と、主体部５１の両長い側縁から下方へ曲がって延設された支持あし５２と、主体部５１の両短い側縁から下方へ曲がって延設された支持片５３とを含んで、該主体部５１の中央部が陥てＶ型の槽を形成し、Ｖ型の弾性片５４を設置している。
【００１３】
組み立てを行なう際に、上述した可動接点３０の横方向の両端をハウジング１０の底面１１両端の第２ステップ１６に掛け、そして頂面３１と固定接点２０の接触部２１とを接続前の状態に保持している。それと同時に、作動件４０の可動部４１の横方向の両端をハウジング１０の底面１１両端の第１ステップ１５に掛ける。支持あし５２とハウジング１０の第１凹部１７とを嵌合することと、支持片５３とハウジング１０の第２凹部１８とを嵌合することにより、蓋体５０がハウジング１０の上に固定されると同時に、蓋体５０とハウジング１０との間に置かれている可動接点３０と作動件４０とを保持している。該作動件４０の作動部４１がＶ型の弾性片５４と可動接点３０との間に設置されている。
【００１４】
使う際に、作動件４０の押圧部４２を押すと、作動件４０の作動部４５は前に移動しながら蓋体５０のＶ型弾性片５４と接触するようになる。作動部４５がＶ型弾性片５４の作動より可動接点３０を押圧し、可動接点３０を弾性変形させる一方、該可動接点３０の頂面３１の各凸起３３を対応の固定接点２０と電気的に接続するように下方へ移させる。作動件４０の押圧状態を解除すると、可動接点３０が弾性回復力で固定接点２０から離れることによって、電気接続が解除され、スイッチ・オフの操作も完成する。
【００１５】
図３と図４は本発明の第２実施例を示す。第２実施例の押釦スイッチの構造は第１実施例と大体同じであるが、違うところはただ可動接点３０’のみである。本実施例の可動接点３０’の頂部の開口は円形に似通っている形に設けられ、開口（記号なし）の縁から四つの凸片３３’が下方へ延びて形成されている。他の素子の構造は第１実施例と同じである。第２実施例の押釦スイッチには凸片３３’が四つ設けられているが、場合によって、１個また複数の凸片３３’を設けても本発明の効果が達成できる。使う際に、作動件４０’の押圧部４２’を押すと、作動件４０’の作動部４５’が前方へ移動し、蓋体５０’のＶ型弾性片５４’を押圧する状態になって、Ｖ型弾性片５４’の押圧力で作動部４５’が可動接点３０’に接触し、可動接点３０’を変形させる一方、該可動接点３０’の凸片３３’を下へ移させ、対応の固定接点２０’と電気的に接続する。作動件４０’の押圧状態を解除すると、可動接点３０’が弾性回復力で固定接点２０’から離れ、電気的な接続が解除される。スイッチ操作の全過程は完成する。本実施例に使われる組み立て方法は第１実施例と大体同じであるから、省略する。
【００１６】
総じて、本発明の多数の特徴及び長所など、その構造及び機能が共に前述の記載により掲げられている。また前記の説明は、本発明に基づきなしうる細部の修正あるいは変更など、いずれも本発明の請求範囲に属するものとする。
【図面の簡単な説明】
【００１７】
【図１】本発明の第１実施例の押釦スイッチの分解斜視図である。
【図２】本発明の第１実施例の押釦スイッチの組み立てられた状態を示す断面図である。
【図３】本発明の第２実施例の可動接点を示す斜視図である。
【図４】本発明の第２実施例の押釦スイッチの組み立てられた状態を示す断面図である。
【符号の説明】
【００１８】
１  押釦スイッチ
１０  ハウジング
１１  底面
１２  前壁
１３  後ろ壁
１４  側壁
１５  第１ステップ
１６  第２ステップ
１７  第１凹部
１８  第２凹部
２０，２０’  固定接点
２１  接触部
２２  半田付け部
３０，３０’  可動接点
３１  頂面
３２  側面
３３  凸起
３３’  凸片
４０，４０’  作動部材
４１  可動部
４２，４２’  押圧部
４３  ガイド部
４４  穴
４５，４５’  作動部
５０，５０’  蓋体
５１  本体
５２  支持あし
５３  支持片
５４，５４’  弾性片
【図１】
2004303716.tif 000003
【図２】
2004303716.tif 000004
【図３】
2004303716.tif 000005
【図４】
2004303716.tif 000006